(57)【要約】【課題】インクをノズルから噴射させる圧力を加えるために各圧電素子を駆動するべく、駆動信号を圧電素子に印加するための配線部材を設置する必要がある。このとき、この配線部材によって液体噴射ヘッドの平面サイズが大きくならないようにする。【解決手段】隣り合う液体噴射ヘッド１１０と液体噴射ヘッド１２０との間において、各々の供給流路形成部材１１１間には、切り欠き部１１１ｓによって、上下方向に開いた穴部が形成されることになる。従って、ドライバー基板６０から出力される駆動信号を、液体噴射ヘッド１２０の圧電素子１１７に駆動信号を印加するための回路基板７０を、この形成された穴部に通すことによって、リザーバ１１３間に回路基板７０を配置することができる。つまり、回路基板７０を、供給流路形成部材１１１の正面側またはそれと反対側の外周を這わせて配置せずに済むので、液体噴射ヘッドの平面サイズが大きくならずに済む。【選択図】図４
2009126076.tif 000002
【特許請求の範囲】
【請求項１】
液体を加圧する加圧手段が形成された圧力室と当該圧力室に連通して前記液体を噴射するノズルとが形成されたノズルブロックを、複数有する液体噴射ヘッドであって、
前記ノズルブロック毎に、
（１）前記圧力室に連通して当該圧力室に前記液体を供給する供給流路と、
（２）前記液体を加圧する駆動信号を前記加圧手段に印加する回路基板と、を備え、
前記供給流路が、前記圧力室に対して前記ノズルと反対側に位置するとき、前記ノズルブロック毎に備えた前記供給流路間を通過するように前記回路基板を配置したことを特徴とする液体噴射ヘッド。
【請求項２】
請求項１に記載の液体噴射ヘッドであって、
前記回路基板は、前記供給流路を形成する部材に設けられた貫通孔を通して配置されていることを特徴とする液体噴射ヘッド。
【請求項３】
請求項１または２に記載の液体噴射ヘッドを具備した液体噴射装置。
【発明の詳細な説明】
【技術分野】
【０００１】
本発明は、液体を噴射する液体噴射ヘッド、及びこの液体噴射ヘッドを備えた液体噴射装置に関する。
【背景技術】
【０００２】
従来から、例えば機能液やインクなどといった液体を紙やガラス基板などといった対象物に噴射し、所定の図柄や画像を形成する液体噴射装置が存在する。このような装置では、例えば液体としてのインクが流れる流路の途中に圧力室を設け、圧力室のインクに圧電素子の電歪性を利用して圧力を加えることによって、流路の最後端に位置するノズルからインクをインク滴として噴射する液体噴射ヘッドが用いられている。
【０００３】
液体噴射ヘッドについては、例えば特許文献１に開示されている構造の如く、ノズルが形成されたノズル開口面と垂直な方向に、圧力室およびこの圧力室にインクを供給する供給流路（「リザーバ」とも称す）を重ねて配置する構造が古くから知られている。これは、ノズル開口面と平行方向における液体噴射ヘッドの平面積を小さくする構造として有効であるが、ノズル開口面に対して垂直方向となる液体噴射ヘッドの厚さが増加してしまう。従って液体噴射ヘッドの薄型化には不向きな構造であった。
【０００４】
一方、例えば特許文献２に開示されている構造の如く、ノズルが形成されたノズル開口面と平行に圧力室を配置する構造が多く採用されている。これは、ノズル開口面と略平行な方向が長手方向となるように圧力室を形成することによって、加圧手段を構成する振動板の変形変位を大きくしつつ、ノズルが形成されたノズル開口面に対して垂直方向における液体噴射ヘッドの厚さを薄くするためである。そして、このような液体噴射ヘッドでは、リザーバは、圧力室と重ならないか一部のみが重なる状態で、ノズル開口面と略平行な面に形成されている。
【０００５】
【特許文献１】特開昭６３−１４９１５９号公報
【特許文献２】特開平６−２３４２１８号公報
【発明の開示】
【発明が解決しようとする課題】
【０００６】
近年、家庭内でデジタルカメラの撮影画像を印刷することが行われ、このために特に小型軽量のプリンタに対する要求が高まっている。この要求にこたえるためには、プリンタを構成する各要素部品の小型化が必要であり、液体噴射ヘッドについても小型化が要求されている。
【０００７】
ところで、圧電素子の性能向上とともに、圧力室の長手方向の長さが従来よりも短く形成することができるようになってきた。そのため、液体噴射ヘッドの小型化の方法として、特許文献１に開示されているような構成を採用することが可能である。すなわち、圧力室およびリザーバが、ノズル開口面に対して垂直方向に配置されているため、特許文献２に開示されている構成よりも、平面サイズは小さくなる。一方、液体噴射ヘッドの厚さを、圧力室の長手方向の長さが短くなったことから従来よりも薄くできる。この結果、充分に実用に耐える液体噴射ヘッドが形成できるからである。
【０００８】
しかしながら、周知のように、液体噴射ヘッドにおいては、インクをノズルから噴射させる圧力を加えるために各圧電素子を駆動するべく、駆動信号を圧電素子に印加するための配線部材を設置する必要がある。このとき、小型化した液体噴射ヘッドの平面サイズが、この配線部材によって大きくならないようにしなければならないという課題がある。
【０００９】
本発明は、このような課題の少なくとも一部を解決するために行われたもので、以下の形態または適用例として実現することが可能である。
【課題を解決するための手段】
【００１０】
［適用例１］液体を加圧する加圧手段が形成された圧力室と当該圧力室に連通して前記液体を噴射するノズルとが形成されたノズルブロックを、複数有する液体噴射ヘッドであって、前記ノズルブロック毎に、（１）前記圧力室に連通して当該圧力室に前記液体を供給する供給流路と、（２）前記液体を加圧する駆動信号を前記加圧手段に印加する回路基板と、を備え、前記供給流路が、前記圧力室に対して前記ノズルと反対側に位置するとき、前記ノズルブロック毎に備えた前記供給流路間を通過するように前記回路基板を配置したことを特徴とする。
【００１１】
この構成によれば、供給流路間に配線部材となる回路基板を配置するので、供給流路を形成する部材の外周に回路基板を這わせる必要がない。従って、液体噴射ヘッドの平面サイズが大きくなることを抑制することができる。また、回路基板の這いまわし長さを短くすることも可能である。
【００１２】
［適用例２］上記液体噴射ヘッドであって、前記回路基板は、前記供給流路を形成する部材に設けられた貫通孔を通して配置されていることを特徴とする。
【００１３】
この構成によれば、供給流路を構成する部材を貫通する貫通穴に回路基板を通して、加圧手段となる圧電素子に駆動信号を印加できるので、供給流路を形成する部材の外周に回路基板を這わせる必要がない。この結果、液体噴射ヘッドの平面サイズが大きくなることを抑制できる。
【００１４】
［適用例３］上記液体噴射ヘッドを具備することを特徴とする液体噴射装置。
【００１５】
上記液体噴射ヘッドを用いれば、ノズルブロックが多くなってもリザーバの上面から加圧手段へ駆動信号を印加することができるので、液体噴射ヘッドが大きくなることを抑制できる。従って、平面サイズの小さい液体噴射装置を提供することができる。
【発明を実施するための最良の形態】
【００１６】
本発明を具体化した一実施形態について説明する。図１は本発明の液体噴射ヘッドを具備した液体噴射装置の一例となるインクジェットプリンタ１０について、その概略構造を示したものである。また、図中吹き出し部は、後述するキャリッジ２０を矢印Ｓ方向から見たときの模式図（上側の図）と、矢印Ｆ方向から見たときの模式図（下側の図）を示している。なお、説明の便宜上、キャリッジ２０は透視状態としている。なお、本実施形態では、キャリッジ２０を基準として、矢印Ｆから見た方向を正面方向とする。また、矢印Ｓから見た方向を右側面方向、その反対側を左側面方向とする。また、印刷用紙２５の方向を下方向、その反対方向を上方向として以降説明する。
【００１７】
このインクジェットプリンタ１０は、液体としてのＹ（イエロー）、Ｍ（マゼンタ）、Ｃ（シアン）、Ｋ（ブラック）の各色インクがそれぞれ収納されたインクカートリッジ１１〜１４がキャリッジ２０に装着される。そして、各色インクに対応したそれぞれ４つの液体噴射ヘッド１１０，１２０，１３０，１４０がキャリッジ２０の下方向に並置して設けられ、これらの液体噴射ヘッド１１０〜１４０からインク滴を噴射して、印刷用紙２５に所定の画像等を印刷するものである。
【００１８】
キャリッジ２０は、キャリッジベルト４１に固定され、キャリッジベルト４１がキャリッジモータ４０によって駆動されるのに伴って、フレーム１７に固定されたガイド２１に沿って図面左右方向（主走査方向）に移動する。このとき、液体噴射ヘッド１１０〜１４０のそれぞれに形成され、主走査方向に対して直交する方向に直線状に穿設された複数のノズルからなるノズル列から、印刷画像に相応した所定量の各色インクがインク滴として噴射される。また印刷用紙２５は、プラテン２８によって裏面から支持されつつ、フレーム１７に固定された駆動モータ２６により駆動される図示しない紙送りローラーなどによって、図面上下方向に所定量ずつ移動する。この一連の動作についての主な制御は、フレーム１７に取り付けられたメイン基板３０と、フレキシブル基板４５によって接続され、キャリッジ２０に取り付けられたサブ基板５０と、によって行われる。
【００１９】
液体噴射ヘッド１１０〜１４０に設けられている複数のノズルのそれぞれには、インクを噴射するために圧力を発生させる加圧手段が形成されている。加圧手段は、電歪性を有する圧電素子と振動板によって構成され、圧電素子に所定の電圧をかけることで圧電素子を変形させ、ノズルからインク滴を噴射させる。圧電素子を変形させる電圧はドライバー基板６０から圧電素子の駆動信号として出力され、後述するドライバー基板６０と圧電素子を電気的に結線する回路基板を介して圧電素子に印加される。ドライバー基板６０は、キャリッジ２０内において、液体噴射ヘッド１１０〜１４０の上方向の位置にあって、各液体噴射ヘッド１１０〜１４０に対応して設けられ、サブ基板５０と図示しない結線部材によって結線され、メイン基板３０からの出力信号を受けて駆動信号を出力する。
【００２０】
なお、キャリッジ２０内には、図中吹き出し部において破線矢印で示したように、各インクカートリッジ１１〜１４から供給されたインクが、４つの液体噴射ヘッド１１０〜１４０に設けられたインク流入口まで流れるように流路（不図示）が形成されている。
【００２１】
本実施形態の液体噴射ヘッド１１０〜１４０は、このようにキャリッジ２０に並置された状態において、上述した回路基板を配置したとき、上方向から見たときの液体噴射ヘッドが占める平面サイズが大きくならないようにするものである。それでは、この液体噴射ヘッド１１０，１２０，１３０，１４０について図２〜図４を用いて説明する。なお、本実施形態では、液体噴射ヘッド１１０，１２０，１３０，１４０は総て同じ構造を有している。従ってここでは、液体噴射ヘッド１１０について説明する。
【００２２】
図２は、液体噴射ヘッド１１０の概略構成を示した模式図で、（ａ）は、上方向から見た状態を、（ｂ）は右側面方向から見た状態を、（ｃ）は下方向から見た状態を、それぞれ示している。本実施形態の液体噴射ヘッド１１０について、インクの流路に沿ってその構成を説明する。
【００２３】
まず、図２（ａ）に示したように、開口部となるインク流入口１１１ａが設けられた供給流路形成部材１１１に、インクカートリッジ（１１）から供給されたインクが流入する。そして、供給流路形成部材１１１に流入したインクは、内部に形成された供給流路（以降、「リザーバ」と称す）１１３に溜まる。リザーバ１１３は、図２（ｂ）に示すように、供給流路形成部材１１１と薄膜材１１２と圧力室形成部材１１４とによって囲まれて形成されている。
【００２４】
次いで、インクはリザーバ１１３から、図中二点鎖線の矢印で示したように、５つ設けられた連通孔１１４ａへ流れる。連通孔１１４ａは圧力室形成部材１１４に形成された半長円形状の開口部と振動板１１６とによって形成される。
【００２５】
連通孔１１４ａに流入したインクは、図２（ｂ）に示すように、続いて圧力室形成部材１１４に形成された圧力室１１４ｂに流入する。圧力室１１４ｂは、圧力室形成部材１１４に形成された所定の断面形状（本実施形態では矩形形状）を有する凹部と振動板１１６とによって形成される。そして、圧力室１１４ｂに流入したインクは、圧電素子１１７の変形駆動によって変位する振動板１１６によって加圧され、ノズルプレート１１５に形成され圧力室１１４ｂと連通するノズル１１５ａからインク滴として噴射する。
【００２６】
供給流路形成部材１１１、圧力室形成部材１１４、ノズルプレート１１５は、それぞれ金属材料（本実施形態ではステンレス鋼）からなり、接着剤や溶着等によって互いに積層固着されて形成されている。薄膜材１１２は、インク滴の噴射動作等によってリザーバ１１３に生ずるインクの振動バランスをとるために、可撓性を有する樹脂製の薄板（本実施形態ではＰＰＳ（ポリフェニレンサルファイド樹脂））からなり、供給流路形成部材１１１の上面に、接着または溶着によって固定されている。
【００２７】
また、振動板１１６はセラミック板（本実施形態ではジルコニア板）からなり、図２（ｂ）に示したように、圧力室形成部材１１４、ノズルプレート１１５の右側面に接着固定されている。そして、振動板１１６の表面には、圧力室１１４ｂのインクを加圧するための圧電素子１１７が貼り付けられている。圧電素子１１７は、圧力室１１４ｂの幅（図面左右方向）よりも狭い幅で、圧力室１１４ｂの長手方向（図面上下方向）に長い形状を有するＰＺＴ（チタン酸ジルコン酸鉛）等の電歪特性を有する圧電材料の板からなり、電圧を印加すると幅方向において湾曲するように構成されている。そして、図示しない電極が圧電素子１１７に形成され、所定の駆動信号をこの電極に印加することによって圧電素子１１７を湾曲させ、もって振動板１１６を変形させて圧力室１１４ｂのインクを加圧するように形成されている。この振動板１１６と圧電素子１１７とが、請求項記載の加圧手段に相当する。
【００２８】
供給流路形成部材１１１には、主走査方向に所定量の長さ切り欠いた切り欠き部１１１ｓが設けられている。この切り欠き部１１１ｓは、圧電素子１１７に駆動信号を印加するための図示しない結線部材を配置するためのものである。結線部材の配置については図３、及び図４を用いて後述する。
【００２９】
本実施形態の液体噴射ヘッド１１０は、上述したように各部材が構成され、上述したようなインクの流路を形成している。その結果、図２（ｃ）に示した如く、圧力室形成部材１１４に形成された圧力室１１４ｂに対応するように、略直線状に所定のピッチ間隔で並んだノズル１１５ａのノズル列が形成される。なお、本実施形態の液体噴射ヘッド１１０は、５つのノズルによって１つのノズル列を形成するようにしているが、もとよりこれは説明を簡略化するためであって、実際には、数十から数百のノズルによって１つのノズル列が形成されている。また、各部材の寸法も、説明の都合上適宜誇張して図示している。従って、実際の寸法とは異なるものであることは勿論である。
【００３０】
次に、液体噴射ヘッド１１０について、図３を用いて更に詳しく説明する。なお図３は、図２（ｃ）におけるＡ−Ａ断面を示した模式図である。
【００３１】
図３に示すように、積層固着された圧力室形成部材１１４とノズルプレート１１５とは、少なくとも右側面方向において１つの面となる壁面を形成するように積層されている。そして、振動板１１６がこの壁面に固着されることによって、圧力室形成部材１１４には、連通孔１１４ａと、この壁面に沿う方向を圧力室の長手方向とする圧力室１１４ｂとが形成される。従って、圧力室１１４ｂにおけるインク流路は、図中２点鎖線の矢印で示したように、壁面と略平行な方向となる。この結果、圧電素子１１７の変形駆動によって振動板１１６が図中白抜き矢印で示した方向に変形すると、圧力室１１４ｂのインクが加圧される。すると、加圧された圧力室１１４ｂのインクは、インク流路に従って流れ、前述するように圧力室１１４ｂと連通するノズル１１５ａから噴射する。なお、本実施形態では、圧力室形成部材１１４とノズルプレート１１５、および加圧手段である振動板１１６と圧電素子１１７とを、ノズルブロックと総称する。
【００３２】
供給流路形成部材１１１に設けられた切り欠き部１１１ｓの長さ（厚さ）の範囲内に、図中２点鎖線で示したように結線部材となる回路基板７０が配置され、圧電素子１１７の電極（不図示）と結線されることによって駆動信号を印加する。
【００３３】
圧力室１１４ｂには、噴射されたインクを補充するべく、連通孔１１４ａを通してリザーバ１１３からインクが供給される。従って、液体噴射ヘッド１１０は、圧力室１１４ｂに対してノズルと反対側に位置するリザーバ１１３から、形成された総ての圧力室１１４ｂ（本実施形態では５個）にインクが供給される。
【００３４】
連通孔１１４ａおよび圧力室１１４ｂは、略直方体形状を有する金属製部材の１つの壁面に、機械切削加工や化学研磨加工などによって凹部を形成したものである。ノズル１１５ａは、ノズルプレート１１５にプレスやドリル等による機械加工や、エッチング等による化学研磨加工によって加工形成されている。
【００３５】
上述した構成によって、本実施形態の液体噴射ヘッド１１０〜１４０は、リザーバ１１３と圧力室１１４ｂとノズル１１５ａとが上下方向に重なる配置状態となる。この結果、ノズル列が形成されたノズル開口面に対して垂直方向にインク流路が形成されることになり、平面サイズが小さい液体噴射ヘッドとなる。そして、圧電素子１１７に駆動信号を印加するための回路基板を、供給流路形成部材１１１に設けた切り欠き部１１１ｓの厚さ内に配置するので、回路基板の配置に起因して液体噴射ヘッドの平面サイズが大きくなることはない。この結果、図１に示したように、これらの液体噴射ヘッド１１０〜１４０を主走査方向に並べて複数のノズルブロックを形成しても、総ての液体噴射ヘッドが占有する平面サイズが大きくなることを抑制することが可能となる。
【００３６】
液体噴射ヘッド１１０，１２０，１３０，１４０を並べた状態を図４に示す。図示するように、各液体噴射ヘッド１１０〜１４０を隣接並置した場合、例えば隣り合う液体噴射ヘッド１１０と液体噴射ヘッド１２０との間において、各々の供給流路形成部材１１１間には、切り欠き部１１１ｓによって、上下方向に開いた穴部が形成されることになる。従って、ドライバー基板６０から出力される駆動信号を、液体噴射ヘッド１２０のノズルブロックの圧電素子１１７に印加するための回路基板７０を、この形成された穴部に通すことによって、リザーバ１１３間に回路基板７０を配置することができる。つまり、回路基板７０を、供給流路形成部材１１１の正面側またはそれと反対側の外周を這わせて配置せずに済むので、液体噴射ヘッドの平面サイズが大きくならずに済む。
【００３７】
図５は、回路基板７０を配置した状態を、右側面方向から見た模式図である。ここで、回路基板７０については、基板を透視状態（図中２点鎖線）で示している。図示するように、回路基板７０に設けられた配線７１ａと配線７１ｂが一組となってそれぞれの圧電素子１１７に形成された電極（不図示）と電気的に結線し、ドライバー基板６０から出力される駆動信号を、それぞれの圧電素子１１７に印加する。このように回路基板７０を配置することによって、供給流路形成部材１１１の正面側やその反対側の外周を這わせて配置せずに済むので、液体噴射ヘッドの平面サイズが大きくならずに済む。また、回路基板７０は、ドライバー基板６０と圧電素子１１７とを略最短距離で結線することができることから、回路基板７０が長くならずに済むため、回路基板７０のコストダウンも可能となる。
【００３８】
以上説明したように、本実施形態の液体噴射ヘッドによれば、配線部材となる回路基板を、供給流路であるリザーバを迂回せずリザーバ間に配置するので、リザーバを形成する部材の外周に回路基板を這わせる必要がなく、液体噴射ヘッドの平面サイズが大きくなることを抑制できる。また、回路基板の這いまわし長さを短くできるとともに、ノズルブロックが複数あっても配線が容易となる。
【００３９】
以上、本発明について、一実施形態を用いて説明したが、本発明はこうした実施形態に何ら限定されるものではなく、本発明の趣旨を逸脱しない範囲内において様々な形態で実施し得ることは勿論である。以下変形例を挙げて説明する。
【００４０】
（変形例）
上記実施形態のインクジェットプリンタ１０は、図１に示したように、液体噴射ヘッドつまりノズルブロックを４つ並べて、それぞれＹ、Ｍ、Ｃ、Ｋの各インクを噴射する液体噴射ヘッドを形成するものであった。従って、各液体噴射ヘッドを隣接並置する場合、各供給流路形成部材１１１を互いに接着するなどの工程が必要となる。そこで、変形例として、各液体噴射ヘッドの供給流路形成部材１１１を一体化して１つの部材で形成してもよい。こうすれば、各供給流路形成部材１１１を接着することなく、４つのノズルブロックを有する液体噴射ヘッドを形成することが可能となる。
【００４１】
本変形例を、図６を用いて説明する。図６は、４つのノズルブロックを形成する供給流路形成部材１１１Ｇを示したもので、上方向から見た平面図である。図示するように、供給流路形成部材１１１Ｇには、各ノズルブロックに対応するリザーバを形成する開口部１１３Ｋが４つ形成されている。そして、形成された開口部１１３Ｋのそれぞれに対応して、供給流路形成部材１１１Ｇの下方向（図面裏側）の所定の位置に、図示しないノズルブロックが固着されることによって、４つの液体噴射ヘッド１１０〜１４０が形成されるのである。
【００４２】
また、それぞれの開口部１１３Ｋの間に、回路基板７０を通過させるための貫通穴１１１Ｋが３つ形成されている。また、供給流路形成部材１１１Ｇの右側面（図面下側）には、回路基板７０を配設させるための切り欠き部１１１ｓが１つ形成されている。
【００４３】
このように、３つの貫通穴１１１Ｋと１つの切り欠き部１１１ｓに、ノズルブロックの圧電素子１１７へ駆動信号を印加する回路基板７０を通すことによって、リザーバ１１３間に回路基板７０を配置することができる。
【００４４】
なお、本変形例では、液体噴射ヘッド１１０に対応する切り欠き部１１１ｓを、他と同様に貫通穴としても差し支えない。この場合、供給流路形成部材１１１Ｇに対して、部材１１１ｐの部分大きくして、切り欠き部１１１ｓを貫通穴とすればよい。
【００４５】
（その他の変形例）
上記実施形態では、キャリッジ２０にノズルブロックが４つ搭載されていることとして説明したが、これに限らず、更にノズルブロックの数を増加したり、逆に減少したりしてもよい。ノズルブロックの数に依存することなく、リザーバ１１３間を通過する回路基板７０によって加圧手段へ駆動信号を印加することができるので、液体噴射ヘッドが大きくなることを抑制できる。従って、平面サイズの小さい液体噴射ヘッドを提供することができる。
【００４６】
また、上記実施形態では、インクを噴射する液体噴射ヘッドが設けられたキャリッジを、印刷用紙の搬送方向と直交する主走査方向に往復移動して、印刷用紙に所定の画像を印刷する方式のインクジェットプリンタとして説明したが、本発明はこれに限るものではないことは勿論である。例えば、印刷用紙の幅方向全体にノズルが形成されたラインヘッドを備えたインクジェットプリンタによって印刷用紙にインク滴を噴射する装置を、本発明の液体噴射装置の一つの実施形態として採用することが可能である。
【００４７】
また、上記実施形態では、液体噴射ヘッドを搭載した液体噴射装置として、液体としてのインクを噴射するインクジェットプリンタ１０として説明したが、これに限るものでないことは勿論である。例えば、ガラス基板や樹脂基板に機能液を噴射して、配線パターンの形成を行う製造装置やカラーフィルタの製造装置など、液体を噴射できる方式を用いて機能液を噴射することによって、画像や図形、文字などを被噴射対象物に記録する装置でも同様に実施できるものである。
【００４８】
また、上記実施形態では、インク滴を噴射させる方法として圧電素子１１７を用いる方式として説明したが、これ以外に発熱体を用いてインク滴を噴射させる所謂サーマル方式としてもよい。
【図面の簡単な説明】
【００４９】
【図１】本発明の一実施形態となるインクジェットプリンタの概略構造図。
【図２】本実施形態での液体噴射ヘッドの概略構成を示した模式図で、（ａ）は、上方向から見た状態を、（ｂ）は右側面方向から見た状態を、（ｃ）は下方向から見た状態を示す模式図。
【図３】本実施形態の液体噴射ヘッドの断面を示した模式図。
【図４】本実施形態の液体噴射ヘッドを４つ並べた状態を示す模式図。
【図５】本実施形態において回路基板を配置した状態を示す模式図。
【図６】変形例での供給流路形成部材を示す模式図。
【符号の説明】
【００５０】
１０…インクジェットプリンタ、１１〜１４…インクカートリッジ、１７…フレーム、２０…キャリッジ、２１…ガイド、２５…印刷用紙、２６…駆動モータ、２８…プラテン、３０…メイン基板、４０…キャリッジモータ、４１…キャリッジベルト、４５…フレキシブル基板、５０…サブ基板、６０…ドライバー基板、７０…回路基板、７１ａ…配線、７１ｂ…配線、１１０…液体噴射ヘッド、１１１…供給流路形成部材、１１１Ｇ…供給流路形成部材、１１１Ｋ…貫通穴、１１１ａ…インク流入口、１１１ｐ…部材、１１１ｓ…切り欠き部、１１２…薄膜材、１１３…リザーバ、１１３Ｋ…開口部、１１４…圧力室形成部材、１１４ａ…連通孔、１１４ｂ…圧力室、１１５…ノズルプレート、１１５ａ…ノズル、１１６…振動板、１１７…圧電素子、１２０，１３０，１４０…液体噴射ヘッド。
【図１】
2009126076.tif 000003
【図２】
2009126076.tif 000004
【図３】
2009126076.tif 000005
【図４】
2009126076.tif 000006
【図５】
2009126076.tif 000007
【図６】
2009126076.tif 000008